(57)【要約】【課題】サンシェード等の保持物品を保持するため、簡単に被取付部材に取り付けることができ、工具を必要とせず、簡単に取り外すことのできる固定具。【解決手段】固定具(10)は、クリップ本体(20)と、リング部品(40)とを備える。クリップ本体(20)は、保持物品を保持するための保持部(21)と、被取付部材(50)に取り付けるための柱状部(30)とを有する。リング部品(40)は、保持部上をスライド可能で、貫通孔(44)が形成され、貫通孔内の横方向一方の側から横方向に延びる一対のスライドバー(43a,b)を有する。クリップ本体の柱状部の上部から斜め下方に延びる一対の係止爪(34a,b)が形成される。一対の係止爪は、横方向の位置がずれている。柱状部の下部には、横方向に延びる一対のバー収容部(36a,b)が形成される。一対のスライドバーは、一対のバー収容部に収容される。【選択図】図２０
2018119660.tif 000002
【特許請求の範囲】
【請求項１】
保持物品を保持するため、被取付部材に取り付けられる固定具であって、
前記保持物品を保持するための保持部と、被取付部材に取り付けるための柱状部とを有するクリップ本体と、
前記保持部上をスライド可能で、貫通孔が形成され、前記貫通孔内の横方向一方の側から横方向に延びる一対のスライドバーを有するリング部品とを備え、
前記クリップ本体の前記柱状部には、上部から斜め下方に延びる一対の係止爪が形成され、
前記柱状部の下部には、前記一対のスライドバーを収容するため、横方向一方の側から横方向に延びる一対のバー収容部が形成される、ことを特徴とする固定具。
【請求項２】
請求項１に記載の固定具であって、
前記一対の係止爪は、相互に横方向の位置が異なる固定具。
【請求項３】
請求項２に記載の固定具であって、
前記一対の係止爪の下方には、前記一対の係止爪より幅方向に引っ込んだ一対の係止爪下部が形成され、前記一対の係止爪下部は、相互に横方向の位置が異なり、前記一対のバー収容部内まで下方に延び、前記柱状部より幅方向に出っ張らない固定具。
【請求項４】
請求項３に記載の固定具であって、
前記リング部品の前記一対のスライドバーは、前記一対の係止爪下部の横方向の位置のずれと同じだけ、横方向長さが異なる固定具。
【請求項５】
請求項４に記載の固定具であって、
前記一対のスライドバーは、先端部が幅方向に斜面になっていて、
前記一対の係止爪下部は、前記横方向一方の側が幅方向に斜面になっていて、前記一対のスライドバーの前記斜面と当接することができる固定具。
【請求項６】
請求項５に記載の固定具であって、
前記保持部の前記横方向一方の側と反対側の他方の側には、前記リング部品の他方の側が係合することができる突起が形成されている固定具。
【請求項７】
請求項６に記載の固定具であって、
前記一対のスライドバーの前記先端部は、前記バー収容部に収容され、
前記一対のスライドバーの前記先端部の前記斜面は、前記一対の係止爪下部の前記斜面に当接し、
前記リング部品の前記他方の側の下部は、前記保持部の前記突起に係合し、
前記リング部品と、前記クリップ本体とは、組立体となっている固定具。
【請求項８】
請求項６に記載の固定具であって、
前記リング部品が前記一方の側にスライドした位置に配置されるとき、
前記一対の係止爪下部は、前記一対のバー収容部内にあり、
前記一対のスライドバーは、前記一対のバー収容部の外にあり、
前記一対の係止爪は、前記リング部品の上面と係合している固定具。
【請求項９】
請求項６に記載の固定具であって、
前記リング部品が前記他方の側にスライドした位置に配置されるとき、
前記一対の係止爪下部は、前記一対のスライドバーの幅方向内側に入り、
前記一対の係止爪は、前記柱状部より幅方向に出っ張らない固定具。
【請求項１０】
請求項１乃至９の何れか１項に記載の固定具であって、
前記固定具は、サンシェードを保持するためのサンシェード固定具である固定具。
【請求項１１】
保持物品を保持するための固定具を、取付孔を有する被取付部材に取り付けた取付構造であって、
前記固定具は、保持物品を保持するための保持部と、被取付部材に取り付けるための柱状部を有するクリップ本体と、
前記保持部上に配置され、貫通孔が形成され、前記貫通孔内の横方向一方の側から横方向に延びる一対のスライドバーを有するリング部品とを備え、
前記柱状部には、上部から斜め下方に延びる一対の係止爪が形成され、
前記柱状部の下部には、前記一対のスライドバーを収容するための一対のバー収容部が形成され、
前記一対のスライドバーの先端部は前記一対のバー収容部に収容され、
前記一対の係止爪と前記リング部材の上面との間に、前記被取付部材の前記取付孔の縁部が挟まれていることを特徴とする取付構造。
【請求項１２】
請求項１１に記載した取付構造であって、
前記一対の係止爪の下方には、前記一対の係止爪より幅方向に引っ込んだ一対の係止爪下部が形成され、
前記保持部の前記横方向一方の側と反対側の他方の側には、突起が形成され、
前記一対の係止爪下部は、前記一対のスライドバーの前記先端部に当接し、
前記リング部品の前記他方の側の下部は、前記保持部の前記突起に係合している取付構造。
【請求項１３】
貫通孔内の横方向一方の側から横方向に延びる一対のスライドバーを有するリング部品と共に、固定具を構成するクリップ本体であって、
前記クリップ本体は、保持物品を保持するための保持部と、
被取付部材に取り付けるための柱状部とを有し、
前記柱状部には、上部から斜め下方に延び、一対の係止爪が形成され、
前記柱状部の下部には、前記一対のスライドバーを収容するため、横方向に延びる一対のバー収容部が形成され、
前記一対のバー収容部は、横方向の長さが異なる、
ことを特徴とするクリップ本体。
【請求項１４】
請求項１３に記載したクリップ本体であって、
前記一対の係止爪の下方には、前記一対の係止爪より幅方向に引っ込んだ一対の係止爪下部が形成され、前記一対の係止爪下部は、前記一対のバー収容部内まで下方に延びるクリップ本体。
【請求項１５】
保持物品を保持するための保持部と、被取付部材に取り付けるための柱状部とを有するクリップ本体と共に、固定具を構成するリング部品であって、
前記リング部品は、貫通孔が形成され、前記貫通孔内の横方向一方の側から横方向に延びる一対のスライドバーを有し、
前記一対のスライドバーは、横方向の長さが異なり、
前記一対のスライドバーは、先端部が幅方向に斜面になっている、
ことを特徴とするリング部品。
【発明の詳細な説明】
【技術分野】
【０００１】
本発明は、物品を保持するため、自動車のボディパネル等の被取付部材に取り付ける固定具に関する。この固定具は、窓に沿って引き出されるサンシェードの端部を窓枠の位置に保持するサンシェード等の保持物品を保持する固定具として、使用することができる。
【背景技術】
【０００２】
自動車の車室内に物品を保持するための固定具を取り付けることがある。このような固定具の代表的な例は、サンシェード固定具である。
サンシェードは、日除けとして自動車の窓枠に装着される。サンシェード固定具の一例は、上方に引き出されたサンシェードの上端部を引っ掛けるフック部と、そのフック部を窓枠上部の側面に取り付ける連結ピンとを備えている。連結ピンは、窓枠の側面に形成された取付孔に嵌め込まれて、窓枠に取り付けられる。フック部は、窓枠から下方に突出するように連結ピンに固定される。
【０００３】
このようなサンシェード固定具は、フック部を窓枠に取り付けるための連結ピン等の機構が、見える位置に配置されている。このため、連結ピン等の取付機構が目障りになり、窓枠の見栄えが低下する。サンシェード固定具は、見える位置に配置されるので、見栄えが良く、簡単に着脱できることが好ましい。
サンシェード以外に、保持物品を車室内の見える位置に保持するため、ボディパネル等の被取付部材に取り付ける固定具も、見栄えが良く、簡単に着脱できることが好ましい。
【０００４】
特許文献１は、ハーネス類を自動車の車体パネルに簡便に着脱するためのハーネス取付クリップを開示する。
特許文献１のハーネス取付クリップは、クリップ本体の端部に一対の係止アームを有し、この一対の係止アームを車体パネルの取付孔に弾性で押し萎めて押し込み、車体パネルの背面に係合させて、ハーネスを車体パネルに固定する。この取付クリップは、クリップ本体のほかに扁平形状の着脱治具バンドを備える。この着脱治具バンドは、一端部に孔幅の広い係止孔と孔幅の狭い外し孔からなる楔孔形状の治具孔を有する。
【０００５】
ハーネスを保持したクリップ本体を車体パネルに取り付けた状態では、一対の係止アームは孔幅の広い係止孔の部分に係合している。車体パネルからクリップ本体を取り外すときは、着脱治具バンドの他端部の把持引張部を引っ張ると、一対の係止アームは、孔幅の狭い外し孔の部分に移動し、押し縮められて幅が狭くなるので、クリップ本体は車体パネルの取付孔から取り外すことができる。
【０００６】
特許文献１は、着脱治具バンドを引っ張るだけで、取付状態のハーネスを車体パネルから簡単に取り外すことができる。ハーネスの着脱作業を簡単に行うことができ、コストも有利なハーネス取付クリップを提供することができるとしている。
【０００７】
しかし、特許文献１のハーネス取付クリップは、ハーネスを車体パネルから簡単に取り外すための部品として、着脱治具バンドを備える。この着脱治具バンドは、クリップ本体から独立した大きい部品であり、引っ張るための把持引張部が形成されていて、目立つのでデザイン上好ましくない。
【０００８】
特許文献２は、自動車の窓枠に取り付けられ、窓に沿って引き出されたサンシェードの端部を窓枠の位置に保持するサンシェード固定具を開示する。このサンシェード固定具は、サンシェードの端部が掛けられるフック部と、フック部を窓枠に取り付ける取付機構とを備える。フック部は、窓枠に取り付けられるとき、窓枠の幅寸法内に収まるように形成されている。取付機構は、フック部の裏面に設けられた突起と、この突起の外周面に形成された一対の係合爪とを有する。突起は、窓枠に形成された貫通孔に挿入される。取付機構は、突起を内側から支える支持ピンを有する。更に係合爪を内側に押すことのできるレバーが設けられている。
【０００９】
サンシェード固定具を取り付けるときは、突起を窓枠の下面の貫通孔に挿入する。係合爪は窓枠の貫通孔を通ると拡開して、フック部が窓枠の下面に仮付される。フック部の連通孔と突起の内部通路に、支持ピンを挿入すると、係合爪は半径方向外側に突出した状態となり、サンシェード固定具の取付けが完了する。
サンシェード固定具を取り外すときは、支持ピンの段部にドライバー等の先端を当て、支持ピンを引き抜く。次に、レバーの端部をドライバーにより押しこむと、係合爪と窓枠の貫通孔との係合が解除され、突起を窓枠の貫通孔から引き抜くことができる。
【００１０】
特許文献２のサンシェード固定具は、突起、窓枠の貫通孔はフック部の裏側に隠れるので、フック部の表側からは取付機構が見えない。フック部は、窓枠の下面の幅寸法内に収まる。このため、窓枠部分の見栄えが向上するとしている。
また、フック部の開口から支持ピンの段部を治具で押すことにより、支持ピンをフック部の連通孔から引き抜くことができるとしている。
【００１１】
しかし、特許文献２のサンシェード固定具は、係合爪を拡開させるため、別体の支持ピンが必要である。支持ピンをフック部に貫通させるため、フック部に連通孔を形成する必要がある。支持ピンの段部にドライバーを当てるため、フック部に開口が必要である。そのため、フック部の外見はあまり良くない。突起を窓枠の下面の貫通孔に挿入し、支持ピンを挿入するという、２つの工程が必要である。
また、突起を窓枠の貫通孔から引き抜くのに、レバーの端部をドライバーにより押しこむ。サンシェード固定具を取り外すときは、ドライバー等の工具が必要である。
【００１２】
そのため、１つの工程で簡単に取り付けることができ、取り外すときに工具を必要とせず、簡単に取り外すことのできるサンシェード固定具が求められていた。
サンシェード以外の保持物品を車室内の見える位置に保持するため、被取付部材に取り付けられる固定具についても、見栄えが良く、簡単に着脱できる固定具が求められていた。
【先行技術文献】
【特許文献】
【００１３】
【特許文献１】特開２００１−３３６６７０号公報
【特許文献２】特開２００６−３０６２９５号公報
【発明の概要】
【発明が解決しようとする課題】
【００１４】
従って、本発明の目的は、簡単に取り付けることができ、取り外すときに工具を必要とせず、簡単に取り外すことのできる固定具を提供することである。
【課題を解決するための手段】
【００１５】
本発明の第１の態様は、保持物品を保持するため、被取付部材に取り付けられる固定具であって、
前記保持物品を保持するための保持部と、被取付部材に取り付けるための柱状部とを有するクリップ本体と、
前記保持部上をスライド可能で、貫通孔が形成され、前記貫通孔内の横方向一方の側から横方向に延びる一対のスライドバーを有するリング部品とを備え、
前記クリップ本体の前記柱状部には、上部から斜め下方に延びる一対の係止爪が形成され、
前記柱状部の下部には、前記一対のスライドバーを収容するため、前記柱状部の横方向一方の側から横方向に延びる一対のバー収容部が形成される、ことを特徴とする固定具である。
【００１６】
固定具が、保持部と柱状部とを有するクリップ本体と、リング部材とを備え、柱状部の上部から斜め下方に延びる一対の係止爪が形成されると、係止爪は被取付部材の取付孔縁部に係合することができる。
リング部品が、横方向に延びる一対のスライドバーを有し、柱状部の下部に、一対のバー収容部が形成されると、リング部品をスライドさせることにより、一対のスライドバーを一対のバー収容部に収容することができる。
【００１７】
前記一対の係止爪は、相互に横方向の位置が異なることが好ましい。
一対の係止爪が、相互に横方向の位置がずれていると、一対の係止爪が撓んだとき相互に干渉しないように配置することができる。
【００１８】
前記一対の係止爪の下方には、前記一対の係止爪より幅方向に引っ込んだ一対の係止爪下部が形成され、前記一対の係止爪下部は、相互に横方向の位置が異なり、前記一対のバー収容部内まで下方に延び、前記柱状部より幅方向に出っ張らないことが好ましい。
【００１９】
一対の係止爪の下方に、一対の係止爪下部が形成されていると、一対の係止爪下部を幅方向内側に押すことにより、一対の係止爪を幅方向内側に撓ませることができる。
【００２０】
前記リング部品の前記一対のスライドバーは、前記一対の係止爪下部の横方向の位置のずれと同じだけ、横方向長さが異なることが好ましい。
【００２１】
一対の係止爪下部の横方向の位置の違いと同じ長さだけ、一対のスライドバーの横方向長さが異なると、一対のスライドバーは、一対の係止爪下部に当接することができる。
【００２２】
前記一対のスライドバーは、先端部が幅方向に斜面になっていて、
前記一対の係止爪下部は、前記横方向一方の側が幅方向に斜面になっていて、前記一対のスライドバーの前記斜面と当接することができることが好ましい。
【００２３】
一対のスライドバーの先端部が幅方向に斜面になっていて、一対の係止爪下部が、幅方向に斜面になっていると、スライドバーの先端部の斜面と、係止爪下部の斜面とが当接することができる。
【００２４】
前記保持部の前記横方向一方の側と反対側の他方の側には、前記リング部品の他方の側が係合することができる突起が形成されていることが好ましい。
【００２５】
保持部に、リング部品が係合することができる突起が形成されていると、リング部品が保持部に係合して、リング部品が移動しないように係止することができる。
【００２６】
前記一対のスライドバーの前記先端部は、前記バー収容部に収容され、
前記一対のスライドバーの前記先端部の前記斜面は、前記一対の係止爪下部の前記斜面に当接し、
前記リング部品の前記他方の側の下部は、前記保持部の前記突起に係合し、
前記リング部品と、前記クリップ本体とは、組立体となっていることが好ましい。
【００２７】
一対のスライドバーの先端部が、バー収容部に収容され、一対のスライドバーの先端部の斜面が、一対の係止爪下部の斜面に当接し、リング部品の下部が、保持部の突起に係合していると、リング部品と、クリップ本体とは、組立体として外れないように維持される。
【００２８】
前記リング部品が前記一方の側にスライドした位置に配置されるとき、
前記一対の係止爪下部は、前記一対のバー収容部内にあり、
前記一対のスライドバーは、前記一対のバー収容部の外にあり、
前記一対の係止爪は、前記リング部品の上面と係合していることが好ましい。
【００２９】
リング部品が一方の側にスライドした位置に配置されるとき、一対のスライドバーは、一対のバー収容部の外にある。リング部品をクリップ本体の上方から押し込むと、一対の係止爪は幅方向内側に押されてリング部品の貫通孔を通り、リング部品の上側に出ると、幅方向に広がってリング部品の上面に当接する。リング部品をクリップ本体に組み立てる第１段階となる。
【００３０】
前記リング部品が前記他方の側にスライドした位置に配置されるとき、
前記一対の係止爪下部は、前記一対のスライドバーの幅方向内側に入り、
前記一対の係止爪は、前記柱状部より幅方向に出っ張らないことが好ましい。
【００３１】
リング部品が他方の側にスライドされると、一対の係止爪下部は、一対のスライドバーにより幅方向内側に押され、一対の係止爪は、幅方向内側に撓み、柱状部に収容されるので、被取付部材から固定具を取り外すことができる。
【００３２】
前記固定具は、サンシェードを保持するためのサンシェード固定具であることが好ましい。
サンシェード固定具は、サンシェードを保持するための専用の固定具として使用することができる。
【００３３】
本発明の第２の態様は、保持物品を保持するための固定具を、取付孔を有する被取付部材に取り付けた取付構造であって、
前記固定具は、保持物品を保持するための保持部と、被取付部材に取り付けるための柱状部を有するクリップ本体と、
前記保持部上に配置され、貫通孔が形成され、前記貫通孔内の横方向一方の側から横方向に延びる一対のスライドバーを有するリング部品とを備え、
前記柱状部には、上部から斜め下方に延びる一対の係止爪が形成され、
前記柱状部の下部には、前記一対のスライドバーを収容するための一対のバー収容部が形成され、
前記一対のスライドバーは前記一対のバー収容部に収容され、
前記一対の係止爪と前記リング部材の上面との間に、前記被取付部材の前記取付孔の縁部が挟まれていることを特徴とする取付構造である。
【００３４】
一対のスライドバーの先端部が一対のバー収容部に収容され、一対の係止爪とリング部材の上面との間に、被取付部材が挟まれていると、固定具は被取付部材に取り付けられている。固定具に、サンシェード等の保持物品を保持することができる。
【００３５】
前記一対の係止爪の下方には、前記一対の係止爪より幅方向に引っ込んだ一対の係止爪下部が形成され、
前記保持部の前記横方向一方の側と反対側の他方の側には、突起が形成され、
前記一対の係止爪下部は、前記一対のスライドバーの前記先端部に当接し、
前記リング部品の前記他方の側の下部は、前記保持部の前記突起に係合していることが好ましい。
【００３６】
一対の係止爪下部が、一対のスライドバーの先端部に当接し、リング部品の他方の側の下部が、保持部の突起に係合していると、リング部品は、クリップ本体とずれないように保持される。
【００３７】
本発明の第３の態様は、貫通孔内の横方向一方の側から横方向に延びる一対のスライドバーを有するリング部品と共に、固定具を構成するクリップ本体であって、
前記クリップ本体は、保持物品を保持するための保持部と、
被取付部材に取り付けるための柱状部とを有し、
前記柱状部には、上部から斜め下方に延び、前記リング部品の上面に係合できる一対の係止爪が形成され、
前記柱状部の下部には、前記一対のスライドバーを収容するため、横方向に延びる一対のバー収容部が形成され、
前記一対のバー収容部は、横方向の長さが異なる、ことを特徴とするクリップ本体である。
【００３８】
柱状部の下部に、横方向に延びる一対のバー収容部が形成されていると、一対のバー収容部にリング部品の一対のスライドバーを収容することができ、リング部品がクリップ本体から外れないように、保持される。
【００３９】
前記一対の係止爪の下方には、前記一対の係止爪より幅方向に引っ込んだ一対の係止爪下部が形成され、前記一対の係止爪下部は、前記一対のバー収容部内まで下方に延びることが好ましい。
【００４０】
本発明の第４の態様は、保持物品を保持するための保持部と、被取付部材に取り付けるための柱状部とを有するクリップ本体と共に、固定具を構成するリング部品であって、
前記リング部品は、貫通孔が形成され、前記貫通孔内の横方向一方の側から横方向に延びる一対のスライドバーを有し、
前記一対のスライドバーは、横方向の長さが異なり、
前記一対のスライドバーは、先端部が幅方向に斜面になっている、
ことを特徴とするリング部品である。
【００４１】
一対のスライドバーが柱状部の一対のバー収容部に収容されると、リング部品がクリップ本体から外れないように、保持される。一対のスライドバーが一対のバー収容部の奥まで押し込まれると、一対の係止爪下部が幅方向内側に押されて、一対の係止爪が内側に撓み、固定具は被取付部材から取り外すことができる。
【発明の効果】
【００４２】
本発明によれば、見栄えが良く、簡単に取り付けることができ、取り外すときに工具を必要とせず、簡単に取り外すことのできる固定具を得ることができる。
【図面の簡単な説明】
【００４３】
【図１】本発明の実施形態によるサンシェード固定具のクリップ本体の斜視図である。
【図２】図１のクリップ本体の上面図である。
【図３】図１のクリップ本体の正面図である。
【図４】図１のクリップ本体の右側面図である。
【図５】図１のクリップ本体の図２のＤ−Ｄ線に沿った断面図である。
【図６】図１のクリップ本体の図３のＣ−Ｃ線に沿った断面図である。
【図７】本発明の実施形態によるサンシェード固定具のリング部品の斜視図である。
【図８】図７のリング部品の上面図である。
【図９】図７のリング部品の正面図である。
【図１０】図７のリング部品の右側面図である。
【図１１】図７のリング部品の図９のＥ−Ｅ線に沿った断面図である。
【図１２】図７のリング部品の図８のＦ−Ｆ線に沿った断面図である。
【図１３】図１のクリップ本体と図７のリング部品を組み立てたサンシェード固定具の斜視図である。
【図１４】図１３のサンシェード固定具の上面図である。
【図１５】図１３のサンシェード固定具の正面図である。
【図１６】図１３のサンシェード固定具の右側面図である。
【図１７】図１３のサンシェード固定具の図１５のＡ−Ａ線に沿った断面図である。
【図１８】図１３のサンシェード固定具の図１４のＢ−Ｂ線に沿った断面図である。
【図１９】図１のクリップ本体と図７のリング部品を組み立てる中間段階のサンシェード固定具の斜視図である。
【図２０】図１のクリップ本体と図７のリング部品を組み立てたサンシェード固定具の斜視図である。
【図２１】図２０のサンシェード固定具をボディパネルに取り付けた状態の正面図である。
【図２２】図２１のサンシェード固定具のＧ−Ｇ線に沿った断面図である。
【図２３】図２１のサンシェード固定具のＨ−Ｈ線に沿った断面図である。
【図２４】図２１のサンシェード固定具のリング部品をずらし、ボディパネルからサンシェード固定具を取り外す中間段階の正面図である。
【図２５】図２４のサンシェード固定具のＪ−Ｊ線に沿った断面図である。
【図２６】図２４のサンシェード固定具のＫ−Ｋ線に沿った断面図である。
【発明を実施するための形態】
【００４４】
以下、本発明の実施形態によるサンシェード固定具について、図面を参照して説明する。本発明の実施形態では、サンシェード固定具について説明するが、本発明のサンシェード固定具は、フック（保持部）にサンシェード以外のものを保持する固定具として使用することができる。また、本発明の固定具をボディーシート（被取付部材）へ取り付ける構造は、フック形状の部分を有さない固定具（クリップ）にも使用することができる。
【００４５】
本発明の実施形態のサンシェード固定具10は、クリップ本体20とリング部品40とを備える。図１〜６を参照して、サンシェード固定具10のクリップ本体20について説明する。次に、図７〜１２を参照して、サンシェード固定具10のリング部品40について説明する。図１３〜１８を参照して、クリップ本体20とリング部品40とを組み立てたサンシェード固定具10について説明する。
【００４６】
図１９、図２０を参照して、クリップ本体20とリング部品40とを組み立て、ボディパネルに取り付ける方法について説明する。図２１〜図２３を参照して、クリップ本体20とリング部品40とを組み立てたサンシェード固定具10をボディパネルに取り付けた状態について説明する。図２４〜図２６を参照して、サンシェード固定具10をボディパネルから取り外す方法について説明する。
【００４７】
サンシェード（図示せず）は、自動車のドアトリム内の収納ケースから窓ガラスに沿って引き上げられて使用される。サンシェード固定具10は、ドアの窓枠の上部の下面に取り付けられ、サンシェードの上端部が掛けられるようになっている。
本明細書では、図３の上方向を上方向、横方向を横方向、奥行き方向（図４の横方向）を幅方向という。
【００４８】
（クリップ本体）
図１は、本発明の実施形態によるサンシェード固定具10のクリップ本体20の斜視図である。図２は、クリップ本体20の上面図、図３は正面図、図４は右側面図である。図５は、クリップ本体20の図２のＤ−Ｄ線に沿った断面図、図６は、図３のＣ−Ｃ線に沿った断面図である。
クリップ本体20は、サンシェードの上端部が掛けられる保持部21と、保持部の上部にあり、ボディパネルに取り付けるための柱状部30とを有する。
【００４９】
保持部21の、柱状部30の下端の周りの部分は、ほぼ平らな上面23である。保持部21は、上面23から幅方向斜め下方に延び、鉤形に曲がった鉤部22となり、先端部は上方向を向いている。保持部21にサンシェード（図示せず）の上端部が掛けられるようになっている。
保持部21の上面23には、凹部24が形成され、軽量化されている。凹部24は、図３の左側に１箇所、右側に１箇所形成されている。図５に示すように、中央部には、柱状部30の中央孔35が保持部21の中まで延びている。凹部24は、保持部21が斜め下方に延びる形状に合うように、凹部24は幅方向の片側が深くなっている。
【００５０】
右側の凹部24の右端部には、突起25が設けられている。後述するように、クリップ本体20にリング部品40を組み立てたとき、突起25は、リング部品40の内周に当接し、リング部品40が横方向左側にスライドするのを防止するために使用される。
【００５１】
保持部21の鉤部22は、サンシェードの上端部に取り付けられたリング状の引掛け具を鉤部22に引っ掛けることを想定している。サンシェードの引掛け具がこれと異なる場合は、保持部21の形状はサンシェードの引掛け部の形状に合わせて変更することができる。
保持部21に他の保持物品を保持する場合は、保持部21の形状はその保持物品の保持する形状に合わせて変更することができる。
【００５２】
保持部21の上面23の中央部の上側には、柱状部30が上方向に延びる。柱状部30の外形は全体としてほぼ直方体である。柱状部30は、ほぼ直方体の基部31と、基部31の上側のバー収容部36a,bと、バー収容部36a,bの上の基部31とほぼ同じ幅の延長部33と、延長部33の幅方向両側に形成された係止爪34a,bとを有する。
バー収容部36a,bの横方向左側の端部は、幅方向に狭くなった狭幅部32である。バー収容部36a,bは、右方向端部では次第に幅方向に狭くなる。狭幅部32と横方向反対側は、幅方向に広くなり、延長部33と同じ幅の広幅部37である。
【００５３】
保持部21の上面23には、ほぼ直方体の基部31がある。基部31の上側は、幅方向に狭くなった狭幅部32である。狭幅部32の幅方向外側は、バー収容部36a,bである。バー収容部36a,bは、一定の高さがあり、図３の左端部から右端部の近くまで、ほぼ同じ幅であり、右端部の近くから幅が狭くなる。右端部ではバー収容部36a,bはなくなっている。即ち、バー収容部36a,bは、幅方向にへこんだ凹部である。
【００５４】
狭幅部32の上側は、延長部33である。延長部33の幅と横方向長さは、ほぼ基部31と同じである。
延長部33の上部から幅方向斜め下方に係止爪34a,bが延びる。係止爪34は、図３の延長部33の幅方向手前側の係止爪34bと、幅方向奥側の係止爪34aとがある。図２に示すように、手前側の係止爪34bと、奥側の係止爪34aとは、横方向に位置がずれて形成されている。
【００５５】
係止爪34a,bと延長部33との間にスリットが形成されている。係止爪34a,bは、延長部33の上部から下方へ行くにしたがって幅方向外側に広がって、出っ張った係止爪34a,bとなり、出っ張った係止爪34a,bから、下方に幅方向内側に入り、係止爪下部38a,bとなっている。
【００５６】
図３に示すように、係止爪下部38a,bは、バー収容部36a,bの中ほどまで、下方に延びる。一対の係止爪下部38a,bの幅方向距離は、狭幅部32の幅より大きく、一対の係止爪下部38a,bは、バー収容部36a,bに出っ張っている。
一対の係止爪下部38a,bの幅方向内側にはバー収容部36a,bの壁はなく、空間になっていて、一対の係止爪下部38a,bは、幅方向内側に撓むことができる。
【００５７】
係止爪下部38a,bの形状については、図２２を参照して後述する。係止爪下部38a,bは、左側が幅方向に斜面になっている。
係止爪下部38aと係止爪下部38bとは、横方向にずれて、両方が幅方向中央寄りに撓んでも、互いにぶつからないようになっている。
【００５８】
延長部33の上面から中央部を下方向に、断面がほぼ長方形の中央孔35が延びる。図５に示すように、中央孔35は、基部31を通り、保持部21の中まで達している。
柱状部30の右側で幅方向奥側の角には、縦方向に延びるガイド凹部39が形成されている。リング部品40をクリップ本体20と組み立てるとき、ガイド凹部39には、後述するリング部品40のガイド凸部46が当接する。
【００５９】
（リング部品）
次に、本発明の実施形態によるサンシェード固定具10のリング部品40について説明する。図７は、リング部品40の斜視図である。図８は、リング部品40の上面図、図９は正面図、図１０は右側面図である。図１１は、リング部品40の図９のＥ−Ｅ線に沿った断面図、図１２は、図８のＦ−Ｆ線に沿った断面図である。
【００６０】
リング部品40は、全体として外形の断面は各辺が丸みを帯びた長方形である。リング部品40の貫通孔44の断面は、ほぼ長方形である。リング部品40の下面41の外形は、保持部21の上面23と同じ外形である。クリップ本体20にリング部品40を当接させると、一体になるようになっている。リング部品40の貫通孔44は、スライドバー43a,bの部分以外は、下面41から上面42まで、同じ断面である。
【００６１】
図８に示すように、リング部品40の貫通孔44の上部の中央から左側には、幅方向手前側のスライドバー43bと、幅方向奥側のスライドバー43aが形成されている。スライドバー43aの横方向長さは、スライドバー43bの横方向長さより短い。スライドバー43aの横方向長さと、スライドバー43bの横方向長さとの差は、係止爪34aと係止爪34bの横方向のずれの長さに等しい。スライドバー43a,bの右端部は、次第に幅が狭くなる斜面である。
【００６２】
図９のＥ−Ｅ線に沿った断面図である図１１、図８のＦ−Ｆ線に沿った断面図である図１２に示すように、リング部品40の下面41からスライドバー43a,bの下側までの高さは、クリップ本体20の保持部21の上面23からバー収容部36の下面までの高さとほぼ等しい。リング部品40の下面41からスライドバー43a,bの上側までの高さは、クリップ本体20の保持部21の上面23からバー収容部36a,bの上面までの高さとほぼ等しい。
【００６３】
スライドバー43a,bの幅方向の幅は、バー収容部36a,bの幅方向の幅とほぼ等しい。
クリップ本体20にリング部材40を組み立てたとき、クリップ本体20のバー収容部36a,bに、リング部材40のスライドバー43a,43bが収容されるようになっている。
【００６４】
係止爪下部38a,bの下端部の高さは、バー収容部36a,bの高さ方向中ほどにくる。クリップ本体20上で、リング部品40をスライドさせると、係止爪下部38a,bの下端部は、スライドバー43a,bに当接するようになっている。
【００６５】
図７、図８に示すように、リング部品40の右側で幅方向の奥側の角には、縦方向に延びるガイド凸部46が形成されている。リング部品40をクリップ本体20と組み立てるとき、ガイド凸部46は、クリップ本体20の柱状部30のガイド凹部39に当接する。
【００６６】
（サンシェード固定具）
図１３〜１８を参照して、クリップ本体20とリング部品40とを組み立てたサンシェード固定具10について説明する。図１３は、サンシェード固定具10の斜視図である。図１４は、サンシェード固定具10の上面図、図１５は正面図、図１６は右側面図である。図１７は、サンシェード固定具10の図１５のＡ−Ａ線に沿った断面図、図１８は、図１４のＢ−Ｂ線に沿った断面図である。
【００６７】
クリップ本体20の保持部21の上面23の上にリング部品40が配置され、クリップ本体20の上面23の外形と、リング部品40の下面42の外形とはほぼ等しい。従って、クリップ本体20からリング部品40へは、滑らかに移行する。
【００６８】
クリップ本体20の延長部33の上部分は、リング部品40の上方に出ている。
リング部品40のスライドバー43aは、柱状部30のバー収容部36aに収容されている。スライドバー43bは、柱状部30のバー収容部36bに収容されている。スライドバー43aの先端部の斜面は、係止爪下部38aの斜面に当接している。スライドバー43bの先端部の斜面は、係止爪下部38bの斜面に当接している。突起25は、リング部品40の右端部の内面に係合している。
スライドバー43a,bの先端部は、バー収容部36a,bに収容されている。そのため、リング部品40は、クリップ本体に係止されている。
【００６９】
サンシェード固定具10の図１５のＡ−Ａ線に沿った断面図である図１７に示すように、係止爪下部38a,bは、リング部品40の貫通孔44の内面と幅方向同じ面に位置する。スライドバー43a,bが、バー収容部36a,bに挿入された状態では、スライドバー43a,bは、係止爪下部38a,bの左側の部分までしか伸びていない。係止爪下部38a,bには、リング部品40の内周面が当接する。係止爪下部38a,bは、通常位置から撓むことはない。幅方向に出っ張る係止爪34a,bの部分は、リング部品40の上方に出ている。
【００７０】
図１５、図１４のＢ−Ｂ線に沿った断面図である図１８を参照すると、保持部21の突起25が、リング部品40の右端部の内面に係合しているので、リング部品40は、左方向に移動することはできない。
図２１のＧ−Ｇ線に沿った断面図である図２２に示すように、リング部品40のスライドバー43a,bの右方向の端部は、斜めに次第に幅が狭くなる斜面となっている。係止爪下部38a,bの左側は、斜面になっている。
スライドバー43aの横方向長さは、スライドバー43bの横方向長さより短い。係止爪下部38aは、係止爪下部38bより、スライドバー43aとスライドバー43bの長さの差と同じ距離だけ、左にずれている。
【００７１】
クリップ本体20にリング部品40を取り付けた状態では、スライドバー43aの右方向の端部の斜面は、係止爪下部38aの左側の斜面と接する。スライドバー43bの右方向の端部の斜面は、係止爪下部38bの左側の斜面と接する。リング部品40を右方向に押そうとすると、係止爪下部38a,bを幅が狭まるように押す力がかかる。そのため、強い力を掛けない限り、リング部品40は、図１５に示す位置に留まる。
【００７２】
（サンシェード固定具の組み立て）
図１９、図２０を参照して、クリップ本体20とリング部品40とを組み立てる方法について説明する。図１９は、クリップ本体20とリング部品40を組み立てる中間段階の斜視図である。図２０は、クリップ本体20とリング部品40を組み立てたサンシェード固定具10の斜視図である。
【００７３】
クリップ本体20の上方からリング部品40を押し込んでいく。このとき、柱状部30の右端部が、リング部品40の右側の内面に当接するようにする。リング部品40のガイド凸部46は、クリップ本体20の柱状部30のガイド凹部39に当接する。
出っ張った係止爪34a,bは、リング部品40の下面41の内面により幅方向内側に距離が狭まるように押され、係止爪34a,bの部分が、リング部品40の上に出ると、係止爪34a,bは出っ張って元の位置に戻る。スライドバー43a,bは、柱状部30より左側に位置するので、柱状部30により妨げられずに、リング部品40を押し込むことができる。リング部品40の下面41を保持部21の上面に当接させる。
【００７４】
次に、リング部品40を右方向にスライドさせる。リング部品40のスライドバー43a,bが、クリップ本体20のバー収容部36a,bに入っていく。
リング部品40の下面全体が、保持部21の上面に重なる位置までスライドすると、リング部品40の右端部は、クリップ本体20の突起25を乗り越えて、突起25に係合する。リング部品40は、逆方向左側にスライドできなくなる。
【００７５】
リング部品40が保持部21に重なる位置で、スライドバー43a,bの右方向先端部の斜面は、係止爪下部38a,bの斜面に当接する。リング部品40を右方向に移動させようとすると、スライドバー43a,bが係止爪下部38a,bを幅方向内側に相互に近づく方向に移動させる力がかかる。そのため、リング部品40を右方向に移動させる強い力が掛からない限り、リング部品40はこの位置に留まる。
【００７６】
（サンシェード固定具の取り付け）
図２１〜図２３を参照して、クリップ本体20とリング部品40とを組み立てたサンシェード固定具10をボディパネル50に取り付ける方法について説明する。ボディパネル50には、長方形の取付孔51が形成されている。取付孔51は、柱状部30の断面に適合する長方形である。ボディパネル50の取付孔51の下側から、図２０のサンシェード固定具10を、延長部33の上端部を先頭にして挿入していく。係止爪34a,bは、取付孔51の内面により押されて、幅方向の距離が短くなる。出っ張った係止爪34a,bが、取付孔51を通り抜けると、係止爪34a,bは幅方向に元の位置に戻る。
図２１のＨ−Ｈ線に沿った断面図である図２３に示すように、係止爪34a,bは、ボディパネル50の取付孔51の上面の周りに係合する。リング部品40の上面は、ボディパネル50の下面に当接する。こうして、ボディパネル50は、サンシェード固定具10の係止爪34a,bとリング部品40の上面との間に挟まれ、抜け止めされる。
【００７７】
図２１のＧ−Ｇ線に沿った断面図である図２２に示すように、リング部品40の右端部はクリップ本体20の突起25に係合している。係止爪下部38a,bの左側斜面は、リング部品40のスライドバー43a,bの右側の斜面に当接している。リング部品40右方向にスライドさせる力を掛けると、係止爪下部38a,bは幅方向内側に近づく方向の力がかかる。
リング部材40は、大きな力をかけない限り、図２１に示した位置に留まる。
【００７８】
（サンシェード固定具の取り外し）
図２４〜図２６を参照して、サンシェード固定具10をボディパネルから取り外す方法について説明する。図２４は、サンシェード固定具10のリング部品40を横方向右側にスライドさせ、ボディパネル50からサンシェード固定具10を取り外す中間段階の正面図である。図２５は、サンシェード固定具10の図２４のＪ−Ｊ線に沿った断面図、図２６は、サンシェード固定具10の図２４のＫ−Ｋ線に沿った断面図である。
【００７９】
図２４に示すように、リング部品40を強く押して、右方向にスライドさせる。図２４のＪ−Ｊ線に沿った断面図である図２５に示すように、係止爪下部38a,bは、リング部品40のスライドバー43a,bの斜面により幅を狭められて、スライドバー43a,bの幅方向内側に入る。
スライドバー43a,bの斜面は、柱状部30の右側部分の広幅部37の斜面に当接している。
すると、図２４のＫ−Ｋ線に沿った断面図である図２６に示すように、係止爪34a,bは、幅が狭まり、ボディパネル50の取付孔51を通り抜けることができる。こうして、ボディパネル50の取付孔51からサンシェード固定具10を取り外すことができる。
【００８０】
クリップ本体20からリング部品40を取り外すには、リング部品40を左方向にスライドさせる。リング部品40の右端部が突起25に当接するが、突起25を乗り越えて、左方向にスライドさせ、リング部品40の右端部が柱状部30の左端部に当接するようにし、図１９の状態にする。スライドバー43a,bは、バー収容部36a,bから左方に出ている。
係止爪34a,bを幅方向両側から押さえ、リング部品40の貫通孔44内に入るようにして、リング部品40を上方へ移動させると、クリップ本体20からリング部品40を外すことができる。
【００８１】
本発明の実施形態によれば、クリップ本体20の上方からリング部品40を押し込み、リング部品40の上面42に係止爪34a,bを係合させ、リング部品40を右方向にスライドさせ、バー収容部36a,bにスライドバー43a,bを収容するだけで、簡単にクリップ本体20にリング部品40を取り付け、サンシェード固定具10とすることができる。
次に、サンシェード固定具10をボディパネル50に取り付けるには、ボディパネル50の取付孔51に、クリップ本体20の柱状部33を押しこむだけで、係止爪a,bが取付孔51を通り抜けて、ボディパネル50の上面に係合する。ボディパネル50の片側から１工程の作業で、サンシェード固定具10を取り付けることができる。
【００８２】
取外すときは、リング部品40を右方向にスライドさせると、係止爪下部38a,bが、スライドバー43a,bに押されて係止爪34a,bが幅方向に近づくので、工具は必要なく、サンシェード用固定具10をボディパネル50の取付孔51から簡単に取り外すことができる。
【００８３】
本発明の実施形態は、サンシェード用固定具10について説明した。しかし、本発明の固定具の保持部には、サンシェード以外の保持物品を保持することができる。また、本発明の取付構造は、先端部がフック形状になっていないクリップにも使用することができる。
【符号の説明】
【００８４】
10  サンシェード固定具
20  クリップ本体
21  保持部
22  鉤部
23  上面
24  凹部
25  突起
30  柱状部
31  基部
32  狭幅部
33  延長部
34a,b  係止爪
35  中央孔
36a,b  バー収容部
37  広幅部
38a,b  係止爪下部
39  ガイド凹部
40  リング部品
41  下面
42  上面
43a,b  スライドバー
44  貫通孔
46  ガイド凸部
50  ボディパネル
51  取付孔
【図１】
2018119660.tif 000003
【図２】
2018119660.tif 000004
【図３】
2018119660.tif 000005
【図４】
2018119660.tif 000006
【図５】
2018119660.tif 000007
【図６】
2018119660.tif 000008
【図７】
2018119660.tif 000009
【図８】
2018119660.tif 000010
【図９】
2018119660.tif 000011
【図１０】
2018119660.tif 000012
【図１１】
2018119660.tif 000013
【図１２】
2018119660.tif 000014
【図１３】
2018119660.tif 000015
【図１４】
2018119660.tif 000016
【図１５】
2018119660.tif 000017
【図１６】
2018119660.tif 000018
【図１７】
2018119660.tif 000019
【図１８】
2018119660.tif 000020
【図１９】
2018119660.tif 000021
【図２０】
2018119660.tif 000022
【図２１】
2018119660.tif 000023
【図２２】
2018119660.tif 000024
【図２３】
2018119660.tif 000025
【図２４】
2018119660.tif 000026
【図２５】
2018119660.tif 000027
【図２６】
2018119660.tif 000028